(57)【要約】伸縮性を有する素材から成る医療用又はスポーツ用衣服であって、膝部の内側及び外側の側面部に三日月形状の切替え部を有すること、そして着用時に、脚部に段階的着圧が加えられることを特徴とする医療用又はスポーツ用衣服。  本発明の医療用及びスポーツ用衣服は、スポーツ時の膝の屈曲が容易であり、膝窩の生地の余りが抑えられ、不快な圧迫感の少ない、快適な着用感のある衣服であり、さらに、静脈還流が促進され、スポーツ中の脚部の疲労軽減、スポーツ能力の向上、スポーツ後の疲労軽減及び迅速な疲労回復が期待できる。
2010082677.tif 000002
【特許請求の範囲】
【請求項１】
伸縮性を有する素材から成る医療用又はスポーツ用衣服であって、
膝部の内側及び外側の側面部に三日月形状の切替え部を有すること、そして
着用時に、脚部に段階的着圧が加えられること、
を特徴とする医療用又はスポーツ用衣服。
【請求項２】
前記段階的着圧が、脹脛部の着圧＞大腿部の着圧、又は足首部の着圧＞脹脛部の着圧＞大腿部の着圧となるような着圧である、請求項１に記載の医療用又はスポーツ用衣服。
【請求項３】
前記三日月形状の切替え部が、膝頭寄りの長弧ｘと、膝窩寄りの短弧ｙとから形成され、膝頭寄りの長弧ｘの長さと、膝窩寄りの短弧ｙの長さとの差が、１ｃｍ〜８ｃｍである、請求項１又は２に記載の医療用又はスポーツ用衣服。
【請求項４】
前記三日月形状の切替え部が、当該切替え部の頂部に凹みを有する、請求項１〜３のいずれか一項に記載の医療用又はスポーツ用衣服。
【請求項５】
前記三日月形状の切替え部の素材が、当該切替え部以外の部分の素材と同一若しくは異なる伸縮性を有する素材、及び／又は通気性を有する素材である、請求項１〜４のいずれか一項に記載の医療用又はスポーツ用衣服。
【請求項６】
足首部の着圧が、１５ｈＰａ〜３０ｈＰａの範囲にある、請求項１〜５のいずれか一項に記載の医療用又はスポーツ用衣服。
【請求項７】
脹脛部の着圧が７〜２４ｈＰａであり、且つ大腿部の着圧が３〜１８ｈＰａである、請求項１〜６のいずれか一項に記載の医療用又はスポーツ用衣服。
【請求項８】
前記伸縮性を有する素材において、周囲長方向の伸張率が、丈方向の伸張率よりも大きい、請求項１〜７のいずれか一項に記載の医療用又はスポーツ用衣服。
【請求項９】
前記伸縮性を有する素材において、周囲長方向の伸張率が、１５０％〜５００％の範囲にある、請求項１〜８のいずれか一項に記載の医療用又はスポーツ用衣服。
【請求項１０】
縫製部が、裏使いされたフラットシーマである、請求項１〜９のいずれか一項に記載の医療用又はスポーツ用衣服。
【請求項１１】
スポーツ用タイツ、スパッツ、水着、タイツ、パンティストッキング、ボディスーツから成る群から選択される、請求項１〜１０のいずれか一項に記載の医療用又はスポーツ用衣服。
【発明の詳細な説明】
【技術分野】
【０００１】
本発明は、医療用又はスポーツ用衣服に関する。より詳しくは、本発明は、段階的着圧を有し且つ運動動作追従性の高いカッティングを有する医療用又はスポーツ用衣服に関する。
【背景技術】
【０００２】
従来、パンティストッキング類では、静脈還流を促進させるために、足首部、脹脛部、大腿部等に、段階的に圧力を加える構造を有するものが知られている（特許文献１及び特許文献２）。
しかし、これらのパンティストッキング類を、スポーツ用衣服に適用しようとすると、耐久性、伸縮性等に問題が生ずる。さらに、これらのパンティストッキング類は、特に、人体の中で最も伸びの大きい部位の一つである膝部の運動動作に追従するパターン設計がなされていないため、運動時に着圧の変化、つっぱり感、動き難さ等の問題点が生ずる。【０００３】
スポーツ用衣服においても、スポーツ中の脚部の疲労軽減、パフォーマンスの向上、又はスポーツ後の疲労回復効果を促進するために、段階的着圧を用いることが提案されている（特許文献３及び特許文献４）。【０００４】
例えば、特許文献３には、大腿四頭筋、大腿屈筋群及び内転筋群を覆う大腿部の着圧と、下腿伸筋群及び下腿屈筋群を覆う下腿部の着圧が、膝関節直下を通る線を境界線として異なり、大腿部の着圧より下腿部の着圧が高いことを特徴とする、伸縮性を有する素材からなるロングタイツが開示されている。
しかし、上記ロングタイツでは、運動動作追従性の高いカッティングがなされておらず、運動動作中に膝裏に生地の余りが発生し、不快なアタリ感の発生及び下肢の動きが阻害される問題点を有する。
さらに、特許文献３に記載のロングタイツでは、足首部に所望の着圧を加えることが難しい問題点がある。
一般に、パンティストッキング類は、足部から大腿部又はウエスト部にいたる構造を有する（特許文献１及び特許文献２）ため、足首部に所望の着圧を加えることが可能である。一方、一般に、足部のない、足首部からウエスト部にいたる構造を有するスポーツ用衣服では、足首部の着圧を大きくすると、特に足首部の脱着が困難となる問題点を有する。【０００５】
特許文献４には、第１の伸縮性材料パネルと、これにシームで接合する第２の伸縮性材料パネルとを有し、該シームの少なくとも一部が筋肉稜の少なくとも一部に対応するようにして成る筋肉稜を含む体部を覆うための圧縮衣料が開示されている。
しかし、上記圧縮衣料は、伸縮性の材料を用いているものの、切替え及び縫合部が多く、当該材料の伸縮が制限され、運動動作が阻害されやすい問題点がある。
さらに、特許文献４に記載される圧縮衣料には、上述のように、足首部に所望の着圧を加えることが難しいという問題点がある。【０００６】
以上のように、スポーツ用衣服では、スポーツ動作に対する追従性が高いカッティングにより、膝窩の生地の余りを抑え、不快な圧迫感が少なく、そして快適な着用感を有するスポーツ用衣服が望まれている。さらに、従来のスポーツ用衣服では、足首部に所望の着圧を加えるような設計は行われておらず、例えば、足首部から大腿部までの漸減的な着圧により静脈還流を促進することができる医療用及びスポーツ用衣服が望まれている。さらに、医療用衣服に関しても、同様の要望がある。
【先行技術文献】
【特許文献】
【０００７】
【特許文献１】特開２０００−２９０８０６号
【特許文献２】特開平３−２７９４０３号
【特許文献３】特開平１０−１３０９１５号
【特許文献４】特表２００８−５１３６２３号
【発明の概要】
【発明が解決しようとする課題】
【０００８】
本発明は、スポーツ時の膝の屈曲が容易であり、膝窩の生地の余りを抑え、不快な圧迫感が少ない、そして快適な着用感を有する、医療用及びスポーツ用衣服を提供することを課題とする。さらに、本発明は、静脈還流を促進し、スポーツ中の脚部の疲労軽減、スポーツ能力の向上、スポーツ後の疲労軽減及び迅速な疲労回復を促進する医療用及びスポーツ用衣服を提供することを課題とする。
【課題を解決するための手段】
【０００９】
本願発明者らは、上記従来技術の問題点を解消するために鋭意検討した結果、伸縮性を有する素材から成る医療用又はスポーツ用衣服であって、膝部の内側及び外側の側面部に三日月形状の切替え部を有すること、そして着用時に、脚部に段階的着圧が加えられることを特徴とする医療用又はスポーツ用衣服によって、かかる課題を解決できることを見出し、本発明を完成するに至った。【００１０】
具体的には、本発明は以下の態様に関する。
［態様１］
伸縮性を有する素材から成る医療用又はスポーツ用衣服であって、
膝部の内側及び外側の側面部に三日月形状の切替え部を有すること、そして
着用時に、脚部に段階的着圧が加えられること、
を特徴とする医療用又はスポーツ用衣服。
［態様２］
上記脚部の段階的な着圧が、脹脛部の着圧＞大腿部の着圧、又は足首部の着圧＞脹脛部の着圧＞大腿部の着圧となるような着圧である、態様１に記載の医療用又はスポーツ用衣服。【００１１】
［態様３］
上記三日月形状の切替え部が、膝頭寄りの長弧ｘと、膝窩寄りの短弧ｙとから形成され、膝頭寄りの長弧ｘの長さと、膝窩寄りの短弧ｙの長さとの差が、１ｃｍ〜８ｃｍである、態様１又は２に記載の医療用又はスポーツ用衣服。
［態様４］
上記三日月形状の切替え部が、当該切替え部の頂部に凹みを有する、態様１〜３のいずれか一つに記載の医療用又はスポーツ用衣服。【００１２】
［態様５］
上記三日月形状の切替え部の素材が、当該切替え部以外の部分の素材と同一若しくは異なる伸縮性を有する素材、及び／又は通気性を有する素材である、態様１〜４のいずれか一つに記載の医療用又はスポーツ用衣服。
［態様６］
足首部の着圧が、１５ｈＰａ〜３０ｈＰａの範囲にある、態様１〜５のいずれか一つに記載の医療用又はスポーツ用衣服。【００１３】
［態様７］
脹脛部の着圧が７〜２４ｈＰａであり、且つ大腿部の着圧が３〜１８ｈＰａである、態様１〜６のいずれか一つに記載の医療用又はスポーツ用衣服。
［態様８］
上記伸縮性を有する素材において、周囲長方向の伸張率が、丈方向の伸張率よりも大きい、態様１〜７のいずれか一つに記載の医療用又はスポーツ用衣服。【００１４】
［態様９］
上記伸縮性を有する素材において、周囲長方向の伸張率が、１５０％〜５００％の範囲にある、態様１〜８のいずれか一つに記載の医療用又はスポーツ用衣服。
［態様１０］
縫製部が、裏使いされたフラットシーマである、態様１〜９のいずれか一つに記載の医療用又はスポーツ用衣服。【００１５】
［態様１１］
スポーツ用タイツ、スパッツ、水着、タイツ、パンティストッキング、ボディスーツから成る群から選択される、態様１〜１０のいずれか一つに記載の医療用又はスポーツ用衣服。
【発明の効果】
【００１６】
本発明の医療用及びスポーツ用衣服は、スポーツ動作に対する追従性が高いカッティングを採用することにより、スポーツ時の膝の屈曲が容易であり、膝窩の生地の余りを抑え、不快な圧迫感が少なく、そして快適な着用感を有する。
また、本発明の医療用及びスポーツ用衣服は、脚部に段階的着圧を加えること、特に、足首部から大腿部まで漸減的に着圧を加えることにより、静脈還流を促進し、スポーツ中の脚部の疲労軽減、スポーツ能力の向上、スポーツ後の疲労軽減及び迅速な疲労回復を促進する。
【図面の簡単な説明】
【００１７】
図１は、本発明の医療用又はスポーツ用衣服の一態様であるスポーツ用タイツの左足部分を外側から見た側面図である。
図２は、本発明の医療用又はスポーツ用衣服の一態様であるスポーツ用タイツの左足部分を内側から見た側面図である。右足部分は、省略されている。
図３は、外側の側面部の三日月形状の切替え部を示す図である。【００１８】
図４は、本発明の医療用又はスポーツ用衣服の一態様であるスポーツ用タイツの正面図及び背面図である。
図５は、本発明の医療用又はスポーツ用衣服の一態様であるスポーツ用タイツの歩行をイメージした左側面図である。
図６は、本発明の医療用又はスポーツ用衣服の着圧を測定するために用いることができる足型の図である。【００１９】
図７は、三日月形の切替え部のバリエーションの一例を示す図である。
図８は、本発明に用いられる三日月形の切替え部を説明するための図である。
【発明を実施するための形態】
【００２０】
引き続いて、本発明の好ましい実施の形態を添付の図面を参照しながら説明する。なお、本発明は、以下に記載する特定の実施の形態によって限定されるものではないことを理解されたい。
［医療用又はスポーツ用衣服］
［医療用衣服］
本明細書において、「医療用衣服」とは、薬事法に定める医療機器の中の、クラスＩの一般医療機器としての衣服を意味する。本発明の医療用衣服としては、特に制限されないが、例えば、パンティストッキング、スパッツ、タイツが挙げられる。
本発明の医療用衣服は、脚部に段階的着圧を加えることにより、下肢の静脈還流を促進し、むくみを防止することができるので、立ち仕事、デスクワーク、飛行機又は電車での移動等に適している。
【００２１】
［スポーツ用衣服］
本明細書において、「スポーツ」とは、遊戯、競争、肉体的鍛錬の要素を含む身体運動の総称を意味し、例えば、陸上競技、野球、ソフトボール、テニス、ハンドボール、体操、卓球、バドミントン、サッカー、バスケットボール、バレーボール、自転車、スキー、スノーボード、スケート、水泳、ボートレースだけでなく、持久系スポーツ、ランニング、ウォーキング、トレッキング、登山、ゴルフ等が挙げられる。
本発明のスポーツ用衣服としては、例えば、スポーツ用タイツ、スパッツ、水着、タイツ、又はボディスーツが挙げられる。
【００２２】
また、本発明の医療用衣服又はスポーツ用衣服は、足部を有しない形態において、足首部に所望の着圧をかけることができるが、本発明の衣服は、それらに限定されるものではなく、足部を有する衣服、例えば、パンティストッキング、足首部を有するタイツであることができる。
【００２３】
［伸縮性を有する素材］
本発明の医療用又はスポーツ用衣服は、伸縮性を有する素材から成る。
本明細書において、上記素材は、弾性糸及び非弾性糸から編成される弾性経編物である。上記弾性糸は、ポリウレタン弾性糸、ポリエーテル・エステル弾性糸、ポリアミド弾性糸等、又は天然ゴム、合成ゴム若しくは半合成ゴムからなる糸状のいわゆるゴム糸、あるいはこれらを有機合成樹脂と複合又は混合することによって得られる弾性糸が好ましく、糸自身がゴム状弾性を有するものが好ましい。
【００２４】
上記弾性糸としては、モノフィラメント又はマルチフィラメントであることができる。また、上記弾性糸は、生糸であることができ、又は非弾性糸若しくは弾性糸で被覆された加工糸であってもよい。上記弾性糸として、特にポリウレタン弾性糸が好ましい。弾性糸の繊度は、４４デシテックス（ｄｔｅｘ）〜７８デシテックスであることが好ましい。
【００２５】
上記非弾性糸は、フィラメント糸又は紡績糸であることができる。具体的には、上記フィラメント糸として、レーヨン、アセテート、ポリアミド、ポリエステル、アクリル、ポリプロピレン、塩化ビニル等の化合繊又は絹（生糸）等が挙げられ、原糸、仮ヨリ加工糸、若しくは先染糸等、又はこれらの複合糸であることができる。これらは、撚糸加工のし易い、安定した糸条であることが好ましい。また、上記紡績糸は、木綿、羊毛、麻、絹等の天然繊維、レーヨン、ポリアミド、ポリエステル、アクリロニトリル、ポリプロピレン、塩化ビニル系等の化合繊からなるステープルであって、これらが単独又は混紡された紡績糸であることができる。上記フィラメント糸は、２２〜７８デシテックスの範囲が好ましく、２２〜５５デシテックスの範囲がより好ましい。
【００２６】
上記素材として、例えば、一般的なトリコット編機を用いて、オサＬ１としてのナイロンと、オサＬ２としてのポリウレタン弾性繊維とを配し、双方をフルセットで使用し、デンビ組織であるＬ１が１０２３、Ｌ２が１２１０の組織とし、ポリウレタン混率が２０〜４０％となるよう編み上げた弾性経編物を挙げることができる。
【００２７】
本発明に用いる伸縮性を有する素材は、当該素材の周囲長方向の伸張率が、丈方向の伸張率よりも大きいことが好ましい。
ここで、本明細書において、「丈方向」とは、着用者の身長方向を意味し、「周囲長方向」とは、上記丈方向と垂直の方向を意味する。
「伸張率」とは、荷重と伸びとが比例関係を保つ最大伸び長さ（Ａ）の元の長さ（Ｂ）との差の、元の長さに対する百分率を意味する。
上記伸張率は、次の式：
伸張率（％）＝１００×（Ａ−Ｂ）／Ｂ
で表すことができる。
【００２８】
上記伸張率は、以下の方法により測定することができる。幅５ｃｍ及び長さ１５ｃｍの試験片を、テンシロン型の定速伸長型引張試験機にセットし、治具の間隔を５ｃｍとし、引張速度５ｃｍ／分にて、試験片が破断するまで試験を行う。試験後、横軸を伸び、縦軸を荷重とするグラフを作図し、荷重と伸びとが比例関係を外れる地点の最大伸び長さから、伸張率を算出する。テンシロン型の定速伸長型引張試験機としては、例えば、オリエンテック製ＲＴＣ−１２１０Ａを挙げることができる。
【００２９】
上記素材の丈方向よりも、特に足首部において、上記素材の周囲長方向の伸張率を大きくすることにより、着脱性を確保しつつ、着用時に一定の大きさの着圧をかけることができる。
【００３０】
本発明に用いる素材の周囲長方向の伸張率は、好ましくは１５０％〜５００％、より好ましくは１５０％〜３００％であることが、足首部の着脱性の確保及び適応サイズ範囲の拡大、並びに足首部の所望の着圧の確保の観点から好ましい。
また、本発明に用いる素材は、伸張率が高いので、例えば、筋肉が肥大した場合、又は足を大きく屈曲させた場合であっても、着圧の変化が少ない。
【００３１】
［三日月形状の切替え部］
本発明の医療用又はスポーツ用衣服は、膝部の内側及び外側の側面部に、三日月形状の切替え部を有することを特徴とする。本発明の一態様では、上記三日月形状の切替え部は、膝頭寄りの長弧ｘと、膝窩寄りの短弧ｙとから成り、膝頭寄りの長弧ｘ及び膝窩寄りの短弧ｙが、それぞれ、前身頃及び後身頃と接ぎ合わされて、前身頃及び後身頃の間に寸法差を生じさせる。そして、当該寸法差により、本発明の医療用又はスポーツ用衣服が、人体皮膚、特に膝部の屈曲に追従することができる。
【００３２】
膝部の内側及び外側の側面部の三日月形状の切替え部は、対称形又は非対称形であることができ、例えば、膝部の内側の三日月形状の切替え部が、膝部の外側の三日月形状の切替え部よりも小さいことができる。
なお、上記三日月形状の切替え部を有しない医療用又はスポーツ用衣服では、一般的に、前身頃と後身頃とが同寸法であることが多く、立位ではフィットするが、歩行時に足を上げた場合、又は座った場合等の足を曲げた場合に、膝窩の生地が余ることとなる。
【００３３】
上記三日月形状の切替え部について、図面と共に説明する。
図１は、本発明の医療用又はスポーツ用衣服１の一態様であるスポーツ用タイツの左足部分を外側から見た側面図である。外側の側面部の三日月形状の切替え部２は、前身頃３及び後身頃４の間の側面部に位置する。
図２は、本発明の医療用又はスポーツ用衣服の一態様であるスポーツ用タイツの左足部分を内側から見た側面図である。右足部分は、省略されている。内側の側面部の三日月形状の切替え部７は、図１と同様に、前身頃３及び後身頃４の間の側面部に位置する。
【００３４】
図３は、外側の側面部の三日月形状の切替え部２を示す図である。図３において、符号ｘは、三日月形状の切替え部の膝頭寄りの長弧であり、符号ｙは、三日月形状の切替え部の膝窩寄りの短弧であり、三日月形状の切替え部の２つの弧が交わる部分の間の長さａは、外側の側面部の三日月形状の切替え部２の２つの弧が交わる部分の上端と、下端との間の長さである。
【００３５】
膝頭寄りの長弧ｘ及び膝窩寄りの短弧ｙの長さは、本発明の医療用又はスポーツ用衣服に所望の寸法差を生じさせる範囲であれば、特に制限されない。しかし、三日月形状の切替え部によって形成される前後身頃の寸法差は、大きければ足上げし易くなり、膝屈曲の大きな運動などに有効であるが、大きくしすぎると、立位で膝前部にシワが発生することになるため、上記寸法差、すなわち、膝頭寄りの長弧ｘ及び膝窩寄りの短弧ｙの長さの差は、好ましくは１ｃｍ〜８ｃｍ、より好ましくは２ｃｍ〜６ｃｍである。
【００３６】
三日月形状の切替え部の上端は、着用時において、少なくとも膝蓋骨の上端より高い位置にあるが、大腿中央部（股付け根から膝蓋中心までの中間点）付近を大きく超えない位置にあることが望ましい。股関節に近い部位では、股関節の屈伸の方が前後の皮膚の伸縮に影響するためである。
【００３７】
三日月形状の切替え部の下端は、少なくとも膝蓋骨の下端より低い位置にあるが、ふくらはぎ（下腿最大囲部）付近を大きく超えない範囲が望ましい。足関節に近い部位では、足首関節の屈伸の方が前後の皮膚の伸縮に影響するためである。
【００３８】
図３において、三日月形状の切替え部の２つの弧が交わる部分の間の長さａは、膝頭寄りの長弧ｘ、膝窩寄りの短弧ｙ、並びに三日月形状の切替え部の上端及び下端の条件を満たす範囲内であれば、特に制限されないが、例えば、８〜４５ｃｍであることができる。
三日月形状の切替え部の頂部Ｔは、本発明の医療用又はスポーツ用衣服内で、着用時に、三日月形状の切替え部の頂部Ｔの高さと、着用者の膝頭の頂部の高さとが概ね等しくなるような位置に設けられる。
なお、上記において、外側の側面部の三日月形状の切替え部２に関して、ａ、ｘ及びｙの好ましい範囲等について説明してきたが、内側の側面部の三日月形状の切替え部７の場合にも、ａ、ｘ及びｙの好ましい範囲は、外側の側面部の三日月形状の切替え部２の場合と同一である。
【００３９】
図４は、本発明の医療用又はスポーツ用衣服の一態様であるスポーツ用タイツの正面図及び背面図である。図４において、符号５及び６は、マチ部及び脇部を意味する。
図５は、本発明の医療用又はスポーツ用衣服の一態様であるスポーツ用タイツの歩行をイメージした左側面図である。図５において、符号７は、内側の側面部の三日月形状の切替え部を意味する。
【００４０】
三日月形状の切替え部の素材は、当該切替え部以外の部分の素材と同一若しくは異なる伸縮性を有する素材、及び／又は通気性を有する素材であることができる。ここで、「切替え部以外の部分」としては、例えば、前身頃３及び後身頃４を挙げることができる。「切替え部以外の部分の素材と異なる伸縮性を有する素材」とは、例えば、膝部の伸縮性をより向上させるような、伸縮率のより大きな素材であることができ、また、膝窩の余りをより少なくするような、伸縮率のより小さな素材であることができる。
【００４１】
本明細書において、「通気性」は、通気度を意味する。「通気性を有する素材」としては、運動時に蒸れを感じない等の、当業界で通気性を有する素材又は通気性のある素材として一般的に用いられている素材であれば、特に問題なく用いることができるが、例えば、ＪＩＳ  Ｌ１０１８（フラジール形試験機を用いた測定法）の測定法に従って、１００ｃｍ３／ｃｍ２・ｓ以上の通気度を有するような素材であることができる。さらに、夏季における運動時の蒸れを効果的に防止するために、上記素材は、例えば、３００ｃｍ３／ｃｍ２・ｓ以上の通気度を有するような素材であることができる。
【００４２】
本明細書において、「三日月形状の切替え部」には、２つの円の弧から作られる形状だけではなく、膝頭寄りの長弧ｘ及び／又は膝窩寄りの短弧ｙの一部が直線で置換された形状、膝窩寄りの短弧ｙが直線である形状等が、その範囲に含まれる。さらに、別途、膝当てを設けるために、三日月形状の切替え部の頂部Ｔを凹ませた形状（例えば、図７に示される三日月形状の切替え部）も、本発明の三日月形状の切替え部に含まれる。これらの三日月形状の切替え部の形状を、湾曲部とも称することができる。
【００４３】
次に、三日月形状の切替え部の具体的な形状を決定するプロセスについて、図８を用いて説明する。図８の（ｉ）において、前身頃３の膝部に、一定の三日月形の切替え部を想定する三日月形のマチを形成するような仮想線を引く。当該三日月形のマチの膝窩寄りの短弧をｙ’とする。次に、（ｉｉ）において、上記三日月形のマチを切り抜く。当該三日月形のマチの膝頭寄りの長弧をｘとする。最後に、（ｉｉｉ）において、上記三日月形のマチを、膝頭寄りの長弧ｘの長さを保持しながら変形させる。変形させた三日月形のマチの膝窩寄りの短弧をｙとする。矢印に示す方向に三日月形のマチを変形させるほど膝窩寄りの短弧ｙの長さが短くなり、寸法差が大きく、足上げし易くなるが、膝窩寄りの短弧ｙの長さが短すぎると、立位で膝前部にシワが発生する。
【００４４】
［段階的着圧］
本明細書において、「脚部」とは、下肢を意味し、以下に説明する大腿部、脹脛部、足首部を含む。
本明細書において、「大腿部」とは、恥骨筋、長内転筋、薄筋及び大内転筋からなる内転筋群、縫工筋、大腿直筋、中間広筋、外側広筋及び内側広筋からなる大腿四頭筋（大腿伸筋群）、半膜様筋、半腱様筋及び大腿二頭筋からなる大腿屈筋群を覆う部位を意味する。
本明細書において、「脹脛部」とは、下腿三頭筋、腓腹筋、前脛骨筋及び長趾伸筋を覆う部位を意味する。
本明細書において、「足首部」とは、脹脛と踝との間の周囲長が最も短い部位を意味する。
【００４５】
本明細書において、「着圧」とは、着用時の圧力を意味する。当該着圧を、例えば、図６に示すような木製の足型に、本発明の医療用又はスポーツ用衣服を着用させ、ザルツマン社製の着圧測定器ＭＳＴ−ＭＫ  ＩＶを用いて測定することができる。
図６に示す足型の周囲長を、以下の表１に示す。なお、図６において、符号ｂ，ｃ及びｆは、それぞれ、足首部、脹脛部及び大腿部を示す。
【００４６】
【表１】
2010082677.tif 000003
【００４７】
本明細書において、「段階的着圧」とは、脚部内の身長方向の異なる場所において、上記着圧が異なることを意味する。上記段階的着圧としては、パンティストッキングの分野で知られている種々の段階的着圧を適用することができるが、例えば、脹脛部の着圧＞大腿部の着圧、さらに、足首部の着圧＞脹脛部の着圧＞大腿部の着圧であることができる。
脚部ふくらはぎ部分の筋ポンプ作用を効果的に補助し、着用者の脚部のむくみや血行障害を軽減させる静脈還流量を増加させるためには、足首部の着圧＞脹脛部の着圧＞大腿部の着圧であることが好ましい。
【００４８】
上記脹脛部の着圧＞大腿部の着圧のケースでは、脹脛部の着圧は、好ましくは７〜２４ｈＰａ、より好ましくは１４〜１７．５ｈＰａであり、そして大腿部の着圧は、好ましくは３〜１８ｈＰａ、より好ましくは８〜１６ｈＰａである。
上記足首部の着圧＞脹脛部の着圧＞大腿部の着圧のケースでは、足首部の着圧は、好ましくは１５ｈＰａ〜３０ｈＰａ、より好ましくは１８〜２７ｈＰａである。脹脛部及び大腿部の着圧は、上記脹脛部の着圧＞大腿部の着圧のケースと同様である。
【００４９】
［縫製部］
本発明において、三日月形状の切替え部と、前身頃及び後身頃との縫製は、特に制限されず、種々の縫製方法を用いて行うことができ、例えば、４本針フラットシーマ（両面飾り扁平縫いミシン）、２本針両面飾り扁平縫いミシン、３本針両面飾り扁平縫いミシンを用いて行うことができる。特に、フラットシーマが好ましい。これにより、切り替え部分の厚みを薄くし、且つ素材の伸びを妨げないようにすることができるからである。上記フラットシーマは、肌に当たる縫い糸が立体的にならないよう、生地の裏側を見て縫う「裏使い」で用いることができる。これにより、肌触りがさらに向上する。
【００５０】
本発明では、シンプルな三日月形状の切替え部を採用して立体設計を行った。従って、本発明の医療用又はスポーツ用衣服は、切替え部の数が少なく、その結果、従来のスポーツ用衣料よりも縫製部分の量が少なく、下記の利点をさらに得ることができる；
（１）素材の伸びが阻害されないので、運動時に大腿部等の周囲長が変化した場合であっても、着圧が変わりにくい；
（２）素材の伸びが阻害されないので、運動動作が阻害されにくい；そして
（３）皮膚感触が柔らかくなり、不快なアタリ感がない。
以下、実施例及び比較例を挙げて本発明をさらに詳細に説明するが、本発明はこれらの例によってなんらの限定も受けるものではない。
【実施例】
【００５１】
［スポーツ用タイツの製造例］
図１及び図４に示すスポーツ用タイツを、以下のように製造した。
外側の側面部の三日月形状の切替え部２及び内側の側面部の三日月形状の切替え部７、前身頃３、後身頃４、マチ部５、並びに脇部６を含むスポーツ用タイツのパーツの型紙を、弾性経編物の地の目に合わせて置き、左右の外側の側面部の三日月形状の切替え部２のパーツ（２つ）、左右の内側の側面部の三日月形状の切替え部７のパーツ（２つ）、左右の前身頃３のパーツ（２つ）、左右の後身頃４のパーツ（２つ）、マチ部５のパーツ（１つ）及び脇部６のパーツ（２つ）を型枠に沿って裁断した。外側の側面部の三日月形状の切替え部２及び内側の側面部の三日月形状の切替え部７のパーツの形状は対称形であり、膝頭寄りの長弧ｘ及び膝窩寄りの短弧ｙの長さの差は、３ｃｍであった。また、上記弾性経編物の周囲長方向の伸張率は、２５０％であった。【００５２】
前身頃３のパーツ（２つ）に、それぞれ、外側の側面部の三日月形状の切替え部２のパーツ及び内側の側面部の三日月形状の切替え部７のパーツを、フラットシーマにより縫い合わせた。次いで、当該縫製物（２つ）に、脇部６のパーツ及び後身頃４のパーツを、順にフラットシーマにより縫い合わせた。次いで、当該２つの縫製物の股下部分をフラットシーマで縫い合わせ、ついで、マチ部５を、フラットシーマにより縫い合わせた。ウエスト部分に、ウエストゴムを２本針片面飾り扁平縫いで縫い合わせた。裾を２点千鳥で折り曲げて、スポーツ用タイツ（１）を製造した。【００５３】
スポーツ用タイツ（１）を図６に示す足型に着用させ、着圧を測定したところ、足首部、脹脛部及び大腿部の着圧は、それぞれ、２５ｈＰａ、１７．５ｈＰａ及び９ｈＰａであった。【００５４】
［実施例１］
上記スポーツ用タイツを、複数の被験者に着用してもらったところ、スポーツ時の膝の屈曲が容易であり、そして快適な着用感が得られたとの回答を得た。さらに、従来のスポーツ用タイツと比較して、スポーツ中の疲労が軽減され、そしてスポーツ後の疲労の回復が迅速であったとの回答が得られた。【００５５】
［実施例２］
本発明の効果を再確認するため、モニター試験を行った。
モニター試験の条件は、以下の通りである。
（１）衣服  ：製造例１に従って製造された、図１及び４に示すスポーツ用タイツ
（２）参加者：計３２名（男性２３名、女性９名）
（３）期間  ：約２週間
（４）動作  ：
（ｉ  ）スポーツ（ランニング、スキー、スノーボード等）
（ｉｉ）日常生活（歩行、仕事等）
（５）評価  ：
（ｉ  ）動きやすさ
（ｉｉ）疲労軽減効果
なお、上記スポーツ用タイツは、男女別に、Ｓ，Ｍ及びＬサイズの３種類の、計６種類を準備し、モニター試験参加者が、体格に合うタイツを選択した。全てのスポーツ用タイツは、足首部、脹脛部及び大腿部の着圧が、それぞれ、約２５ｈＰａ、約１７．５ｈＰａ及び約９ｈＰａになるように設計されている。【００５６】
［動きやすさ］
モニター試験の参加者に、動きやすさを、以下の３段階で評価してもらった。
Ｇｏｏｄ（Ｇ）：未着用時と変わらない
Ｐｏｏｒ（Ｐ）：未着用時よりも動きにくい
結果を、以下の表２にまとめる。【００５７】
【表２】
2010082677.tif 000004
【００５８】
表２に示されるように、モニター試験の参加者の９５％が、上記スポーツ用タイツは、その着用時に、動きやすさが未着用時と変わらないと回答した。従来のスポーツ用タイツは、着用により動きにくくなるものであったことを考慮すると、本発明のスポーツ用タイツの着用時の動きやすさの効果が、モニター試験により再確認されたといえる。
また、驚くべきことに、動きやすさが未着用時と変わらないと回答した９５％の参加者のうち、５６％の参加者は、上記スポーツ用タイツを着用することにより、むしろ、未着用時よりも動きやすくなると回答した。【００５９】
［疲労軽減効果］
モニター試験の参加者に、疲労軽減効果を、以下の４段階で評価してもらった。なお、比較対象は、未着用時である。
Ｖｅｒｙ  ｇｏｏｄ（ＶＧ）：疲労軽減効果が、極めて高い
Ｇｏｏｄ（Ｇ）：疲労軽減効果が高い
Ｆａｉｒ（Ｆ）：疲労軽減効果をわずかに有する
Ｐｏｏｒ（Ｐ）：疲労軽減効果がない
結果を、以下の表３にまとめる。なお、未回答の１名は、計算から除外した。【００６０】
【表３】
2010082677.tif 000005
【００６１】
表３に示されるように、２３％の参加者が、上記スポーツ用タイツが、未着用時と比較して疲労軽減効果が極めて高いと回答し、そして７１％の参加者が、上記スポーツ用タイツが、未着用時と比較して疲労軽減効果が高いと回答した。計９４％の参加者が、上記スポーツ用タイツの疲労軽減効果が極めて高い又は高いと回答した。従って、本発明のスポーツ用タイツの疲労軽減効果が、モニター試験により再確認されたといえる。【００６２】
［三日月形状の切替え部の位置の合わせやすさ］
モニター試験の参加者に、上記スポーツ用タイツの三日月形状の切替え部を、所定の位置、すわなち、膝の位置に合わせやすいか否かを、以下の５段階で評価してもらった。
Ｖｅｒｙ  Ｇｏｏｄ（ＶＧ）：極めて位置合わせしやすい
Ｇｏｏｄ（Ｇ）：位置合わせしやすい
Ｐｏｏｒ（Ｐ）：どちらともいえない
Ｂａｄ（Ｂ）：位置合わせしにくい
Ｖｅｒｙ  Ｂａｄ（ＶＢ）：非常に位置合わせしにくい【００６３】
【表４】
2010082677.tif 000006
【００６４】
表４に示されるように、３１％の参加者が、上記スポーツ用タイツは極めて位置合わせしやすいと回答し、そして５０％の参加者が、上記スポーツ用タイツは位置合わせしやすいと回答した。計８１％の参加者が、上記スポーツ用タイツが、極めて位置合わせしやすい又は位置合わせしやすいと回答していることから、本発明のスポーツ用タイツは、着用時に位置合わせがしやすいものであると判断できるであろう。
当該位置合わせのしやすさは、着用の際に、外部から認識しやすい三日月形状の切替え部を、膝部分に合わせやすいことに起因すると考えられる。
【産業上の利用可能性】
【００６５】
本発明の医療用又はスポーツ用衣服は、スポーツ時の膝の屈曲が容易であり、膝窩の生地の余りが抑えられ、不快な圧迫感の少ない、快適な着用感のある衣服であり、さらに、静脈還流が促進され、スポーツ中の脚部の疲労軽減、スポーツ能力の向上、スポーツ後の疲労軽減及び迅速な疲労回復が期待できる衣服であるので、産業上有用である。
【符号の説明】
【００６６】
１  本発明の医療用又はスポーツ用衣服
２  外側の側面部の三日月形状の切替え部
３  前身頃
４  後身頃
５  マチ部
６  脇部
７  内側の側面部の三日月形状の切替え部
ａ  三日月形状の切替え部の２つの弧が交わる部分の間の長さ
ｂ  足首部
ｃ  脹脛部
ｆ  大腿部
ｘ  膝頭寄りの長弧
ｙ  膝窩寄りの短弧
Ｔ  三日月形状の切替え部の頂部
【図１】
2010082677.tif 000007
【図２】
2010082677.tif 000008
【図３】
2010082677.tif 000009
【図４】
2010082677.tif 000010
【図５】
2010082677.tif 000011
【図６】
2010082677.tif 000012
【図７】
2010082677.tif 000013
【図８】
2010082677.tif 000014
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
伸縮性を有する素材から成る医療用又はスポーツ用衣服であって、
前記衣服が、膝部の内側及び外側の側面部に三日月形状の切替え部を有し、且つ膝頭を頂点として屈曲していること、及び
前記衣服により、着用時に、着用者の脚部に段階的着圧が加えられること、
を特徴とする医療用又はスポーツ用衣服。
【請求項２】
前記三日月形状の切替え部が、膝頭寄りの長弧ｘと、膝窩寄りの短弧ｙとから形成され、膝頭寄りの長弧ｘの長さと、膝窩寄りの短弧ｙの長さとの差が、１ｃｍ〜８ｃｍである、請求項１に記載の医療用又はスポーツ用衣服。
【請求項３】
前記衣服が、前身頃及び後身頃を含み、そして前記前身頃が、大腿部及び脹脛部において前記後身頃に接ぎ合わされ、そして膝部において前記三日月形状の切替え部に接ぎ合わされ、そして前記後身頃が、膝部において前記三日月形状の切替え部に接ぎ合わされている、請求項１又は２に記載の医療用又はスポーツ用衣服。
【請求項４】
前記三日月形状の切替え部が、当該切替え部の頂部に凹みを有する、請求項１〜３のいずれか一項に記載の医療用又はスポーツ用衣服。
【請求項５】
前記三日月形状の切替え部の素材が、当該切替え部以外の部分の素材と同一若しくは異なる伸縮性を有する素材、及び／又は通気性を有する素材である、請求項１〜４のいずれか一項に記載の医療用又はスポーツ用衣服。
【請求項６】
前記段階的着圧が、脹脛部の着圧＞大腿部の着圧、又は足首部の着圧＞脹脛部の着圧＞大腿部の着圧となるような着圧である、請求項１〜５のいずれか一項に記載の医療用又はスポーツ用衣服。
【請求項７】
脹脛部の着圧が７〜２４ｈＰａであり、且つ大腿部の着圧が３〜１８ｈＰａである、請求項１〜６のいずれか一項に記載の医療用又はスポーツ用衣服。
【請求項８】
前記衣服が、足首部からウエスト部にいたる構造を有し且つ足部を有せず、そして前記段階的着圧が、足首部の着圧＞脹脛部の着圧＞大腿部の着圧となるような着圧である、請求項１〜７のいずれか一項に記載の医療用又はスポーツ用衣服。
【請求項９】
前記足首部の着圧が、１５ｈＰａ〜３０ｈＰａの範囲にある、請求項８に記載の医療用又はスポーツ用衣服。
【請求項１０】
前記伸縮性を有する素材において、周囲長方向の伸張率が、丈方向の伸張率よりも大きい、請求項１〜９のいずれか一項に記載の医療用又はスポーツ用衣服。
【請求項１１】
前記伸縮性を有する素材において、周囲長方向の伸張率が、１５０％〜５００％の範囲にある、請求項１〜１０のいずれか一項に記載の医療用又はスポーツ用衣服。
【請求項１２】
縫製部が、裏使いされたフラットシーマである、請求項１〜１１のいずれか一項に記載の医療用又はスポーツ用衣服。
【請求項１３】
スポーツ用タイツ、スパッツ、水着、タイツ、パンティストッキング、ボディスーツから成る群から選択される、請求項１〜１２のいずれか一項に記載の医療用又はスポーツ用衣服。
【手続補正書】
【提出日】平成22年11月24日(2010.11.24)
【手続補正１】
【補正対象書類名】明細書
【補正対象項目名】００１４
【補正方法】変更
【補正の内容】
【００１４】
［態様９］
上記伸縮性を有する素材において、周囲長方向の伸張率が、１５０％〜５００％の範囲にある、態様１〜８のいずれか一つに記載の医療用又はスポーツ用衣服。
［態様１０］
縫製部が、裏使いされたフラットシームである、態様１〜９のいずれか一つに記載の医療用又はスポーツ用衣服。
【手続補正２】
【補正対象書類名】特許請求の範囲
【補正対象項目名】全文
【補正方法】変更
【補正の内容】
【特許請求の範囲】
【請求項１】
伸縮性を有する素材から成る医療用又はスポーツ用衣服であって、
前記衣服が、膝部の内側及び外側の側面部に三日月形状の切替え部を有し、且つ膝頭を頂点として屈曲していること、及び
前記衣服により、着用時に、着用者の脚部に段階的着圧が加えられること、
を特徴とする医療用又はスポーツ用衣服。
【請求項２】
前記三日月形状の切替え部が、膝頭寄りの長弧ｘと、膝窩寄りの短弧ｙとから形成され、膝頭寄りの長弧ｘの長さと、膝窩寄りの短弧ｙの長さとの差が、１ｃｍ〜８ｃｍである、請求項１に記載の医療用又はスポーツ用衣服。
【請求項３】
前記衣服が、前身頃及び後身頃を含み、そして前記前身頃が、大腿部及び脹脛部において前記後身頃に接ぎ合わされ、そして膝部において前記三日月形状の切替え部に接ぎ合わされ、そして前記後身頃が、膝部において前記三日月形状の切替え部に接ぎ合わされている、請求項１又は２に記載の医療用又はスポーツ用衣服。
【請求項４】
前記三日月形状の切替え部の素材が、当該切替え部以外の部分の素材と同一の伸縮性を有する素材である、請求項１〜３のいずれか一項に記載の医療用又はスポーツ用衣服。
【請求項５】
前記伸縮性を有する素材において、周囲長方向の伸張率が、丈方向の伸張率よりも大きい、請求項１〜４のいずれか一項に記載の医療用又はスポーツ用衣服。
【請求項６】
前記伸縮性を有する素材において、周囲長方向の伸張率が、１５０％〜５００％の範囲にある、請求項１〜５のいずれか一項に記載の医療用又はスポーツ用衣服。
【請求項７】
前記段階的着圧が、脹脛部の着圧＞大腿部の着圧、又は足首部の着圧＞脹脛部の着圧＞大腿部の着圧となるような着圧である、請求項１〜６のいずれか一項に記載の医療用又はスポーツ用衣服。
【請求項８】
脹脛部の着圧が７〜２４ｈＰａであり、且つ大腿部の着圧が３〜１８ｈＰａである、請求項１〜７のいずれか一項に記載の医療用又はスポーツ用衣服。
【請求項９】
前記衣服が、足首部からウエスト部にいたる構造を有し且つ足部を有せず、そして前記段階的着圧が、足首部の着圧＞脹脛部の着圧＞大腿部の着圧となるような着圧である、請求項１〜８のいずれか一項に記載の医療用又はスポーツ用衣服。
【請求項１０】
前記足首部の着圧が、１５ｈＰａ〜３０ｈＰａの範囲にある、請求項９に記載の医療用又はスポーツ用衣服。
【請求項１１】
前記三日月形状の切替え部が、当該切替え部の頂部に凹みを有する、請求項１〜１０のいずれか一項に記載の医療用又はスポーツ用衣服。
【請求項１２】
縫製部が、裏使いされたフラットシームである、請求項１〜１１のいずれか一項に記載の医療用又はスポーツ用衣服。
【請求項１３】
スポーツ用タイツ、スパッツ、水着、タイツ、パンティストッキング、ボディスーツから成る群から選択される、請求項１〜１２のいずれか一項に記載の医療用又はスポーツ用衣服。
【国際調査報告】
2010082677.tif 000015
2010082677.tif 000016
2010082677.tif 000017
2010082677.tif 000018